(57)【要約】【課題】映像信号を送信するためのタイムスロットを減らさずに主装置における映像信号の信号レベルの調整が不要あるいは簡素化する。【解決手段】制御部２４が同期信号ＳＹの信号レベルを検出して信号線Ｌｓの伝送損失の推定値を算出するとともに、算出した推定値分の伝送損失を補償するようにアンプＡ２の利得を調整する。故に各端末装置２から主装置１に到達する映像信号の信号レベルを一定の範囲に揃えることができ、その結果、主装置１における映像信号の信号レベルの調整が不要あるいは簡素化できる。しかも、従来例のように伝送損失を推定するためのパイロット信号によってタイムスロットが占有されて映像信号を送信するためのタイムスロットが減るようなことがない。【選択図】図１
2007173996.tif 000002
【特許請求の範囲】
【請求項１】
信号線を介して映像信号を送信する１乃至複数の端末装置と、端末装置から送信される映像信号を受信して映像を表示する主装置とを備え、
端末装置は、撮像手段と、撮像手段で撮像した映像を変調する変調手段と、信号線を介して伝送される同期信号を受信する受信手段と、同期信号に基づいて設定されるタイムスロットに変調手段で変調された映像信号を格納して時分割多重伝送する伝送手段と、信号線から取り込んだ同期信号に基づいて信号線の伝送損失を推定する推定手段と、推定手段で推定した伝送損失に応じて伝送手段で伝送する映像信号の信号レベルを調整する映像信号レベル調整手段とを有し、
主装置は、信号線を介して伝送される映像信号を受信する受信手段と、受信手段で受信した映像信号を復調する復調手段と、同一のタイムスロットに格納されていた映像信号毎に復調手段で復調された映像をつなぎ合わせて元の映像を復元する映像復元手段と、復元された映像を表示する表示手段と、同期信号を信号線を介して各端末装置に送信する同期信号送信手段とを有することを特徴とする映像伝送システム。
【請求項２】
映像信号レベル調整手段は、相対的に高い周波数域の信号レベルが相対的に低い周波数域の信号レベルよりも高くなるように調整することを特徴とする請求項１記載の映像伝送システム。
【請求項３】
映像信号レベル調整手段は、相対的に低い周波数域の信号レベルを減少させることを特徴とする請求項２記載の映像伝送システム。
【請求項４】
端末装置の変調手段は、映像信号をマルチキャリア変調方式で変調し、映像信号レベル調整手段は、各サブキャリア毎に信号レベルを調整することを特徴とする請求項１〜３の何れかに記載の映像伝送システム。
【請求項５】
映像信号レベル調整手段は、映像信号に含まれるプリアンブルの信号レベルが映像信号に含まれる映像データの平均的な信号レベルよりも相対的に高くなるように調整することを特徴とする請求項１〜４の何れかに記載の映像伝送システム。
【請求項６】
推定手段は、複数の同期信号を平均化して信号線の伝送損失を推定することを特徴とする請求項１〜５の何れかに記載の映像伝送システム。
【請求項７】
主装置は、受信手段で受信する各タイムスロットの信号レベルを所定のしきい値と比較し信号レベルがしきい値を超えているタイムスロットに映像信号を格納した端末装置に対して映像信号の信号レベルが適切でないことを通知する通知手段を有することを特徴とする請求項１〜６の何れかに記載の映像伝送システム。
【請求項８】
信号線を介して映像信号を送信する１乃至複数の端末装置と、端末装置から送信される映像信号を受信して映像を表示する主装置とを備え、
端末装置は、撮像手段と、撮像手段で撮像した映像を変調する変調手段と、信号線を介して伝送される同期信号を受信する受信手段と、同期信号に基づいて設定されるタイムスロットに変調手段で変調された映像信号を格納して時分割多重伝送する伝送手段と、信号線から取り込んだ同期信号に基づいて信号線の伝送損失を推定する推定手段と、推定手段で推定した伝送損失の推定値を含む推定値信号を信号線を介して主装置に送信する送信手段とを有し、
主装置は、信号線を介して伝送される映像信号及び推定値信号を受信する受信手段と、受信手段で受信した映像信号を復調する復調手段と、同一のタイムスロットに格納されていた映像信号毎に復調手段で復調された映像をつなぎ合わせて元の映像を復元する映像復元手段と、復元された映像を表示する表示手段と、同期信号を信号線を介して各端末装置に送信する同期信号送信手段と、受信手段で受信した推定値信号に含まれる推定値に基づいて各タイムスロットに対する端末装置の割り当てを変更するとともに信号線を介して各端末装置にタイムスロットの割り当てを通知する通知手段とを有することを特徴とする映像伝送システム。
【発明の詳細な説明】
【技術分野】
【０００１】
本発明は、信号線を介して映像信号を送信する１乃至複数の端末装置と、端末装置から送信される映像信号を受信して映像を表示する主装置とを備える映像伝送システムに関するものである。
【背景技術】
【０００２】
従来より、信号線に接続された端末装置から映像信号を送信し、同じく信号線に接続された主装置で映像信号を受信する映像伝送システムが提供されている（例えば、特許文献１参照）。かかる従来例においては、信号線に接続されている複数の端末装置が映像信号を衝突なく伝送するため、各端末装置が互いに異なるタイムスロットに映像信号を格納して伝送する時分割多重伝送方式を採用している。ここで、主装置と各端末装置との間の信号線の伝送損失は、信号線の線路長や配線形態（トポロジー）によって各端末装置毎に異なっている。主装置においては、映像信号を復調する際に信号レベルを所定範囲に調整する必要があるので、通常、映像信号に含まれるプリアンブルに基づいて映像信号を増幅するアンプの利得を調整している。なお、移動体通信の分野においては、基地局からタイムスロットに格納して送信されるパイロット信号を各移動局で受信し、受信したパイロット信号の信号レベルに基づいて各移動局が送信電力を調整することで基地局における受信信号のレベル調整を不要あるいは簡素化するという技術が提案されている（例えば、特許文献２参照）。
【特許文献１】特開２００１−２８５２３５号公報
【特許文献２】特開平７−２２１７００号公報
【発明の開示】
【発明が解決しようとする課題】
【０００３】
しかしながら、特許文献２に開示されている技術を本発明に係る映像伝送システムに適用した場合、伝送損失の調整を目的とする信号（上述のパイロット信号）が一つのタイムスロットを占有してしまうために映像信号を送信するためのタイムスロットが減少するという問題が生じる。
【０００４】
本発明は上記事情に鑑みて為されたものであり、その目的は、映像信号を送信するためのタイムスロットを減らさずに主装置における映像信号の信号レベルの調整が不要あるいは簡素化できる映像伝送システムを提供することにある。
【課題を解決するための手段】
【０００５】
請求項１の発明は、上記目的を達成するために、信号線を介して映像信号を送信する１乃至複数の端末装置と、端末装置から送信される映像信号を受信して映像を表示する主装置とを備え、端末装置は、撮像手段と、撮像手段で撮像した映像を変調する変調手段と、信号線を介して伝送される同期信号を受信する受信手段と、同期信号に基づいて設定されるタイムスロットに変調手段で変調された映像信号を格納して時分割多重伝送する伝送手段と、信号線から取り込んだ同期信号に基づいて信号線の伝送損失を推定する推定手段と、推定手段で推定した伝送損失に応じて伝送手段で伝送する映像信号の信号レベルを調整する映像信号レベル調整手段とを有し、主装置は、信号線を介して伝送される映像信号を受信する受信手段と、受信手段で受信した映像信号を復調する復調手段と、同一のタイムスロットに格納されていた映像信号毎に復調手段で復調された映像をつなぎ合わせて元の映像を復元する映像復元手段と、復元された映像を表示する表示手段と、同期信号を信号線を介して各端末装置に送信する同期信号送信手段とを有することを特徴とする。
【０００６】
請求項２の発明は、請求項１の発明において、映像信号レベル調整手段は、相対的に高い周波数域の信号レベルが相対的に低い周波数域の信号レベルよりも高くなるように調整することを特徴とする。
【０００７】
請求項３の発明は、請求項２の発明において、映像信号レベル調整手段は、相対的に低い周波数域の信号レベルを減少させることを特徴とする。
【０００８】
請求項４の発明は、請求項１〜３の何れかの発明において、端末装置の変調手段は、映像信号をマルチキャリア変調方式で変調し、映像信号レベル調整手段は、各サブキャリア毎に信号レベルを調整することを特徴とする。
【０００９】
請求項５の発明は、請求項１〜４の何れかの発明において、映像信号レベル調整手段は、映像信号に含まれるプリアンブルの信号レベルが映像信号に含まれる映像データの平均的な信号レベルよりも相対的に高くなるように調整することを特徴とする。
【００１０】
請求項６の発明は、請求項１〜５の何れかの発明において、推定手段は、複数の同期信号を平均化して信号線の伝送損失を推定することを特徴とする。
【００１１】
請求項７の発明は、請求項１〜６の何れかの発明において、主装置は、受信手段で受信する各タイムスロットの信号レベルを所定のしきい値と比較し信号レベルがしきい値を超えているタイムスロットに映像信号を格納した端末装置に対して映像信号の信号レベルが適切でないことを通知する通知手段を有することを特徴とする。
【００１２】
請求項８の発明は、上記目的を達成するために、信号線を介して映像信号を送信する１乃至複数の端末装置と、端末装置から送信される映像信号を受信して映像を表示する主装置とを備え、端末装置は、撮像手段と、撮像手段で撮像した映像を変調する変調手段と、信号線を介して伝送される同期信号を受信する受信手段と、同期信号に基づいて設定されるタイムスロットに変調手段で変調された映像信号を格納して時分割多重伝送する伝送手段と、信号線から取り込んだ同期信号に基づいて信号線の伝送損失を推定する推定手段と、推定手段で推定した伝送損失の推定値を含む推定値信号を信号線を介して主装置に送信する送信手段とを有し、主装置は、信号線を介して伝送される映像信号及び推定値信号を受信する受信手段と、受信手段で受信した映像信号を復調する復調手段と、同一のタイムスロットに格納されていた映像信号毎に復調手段で復調された映像をつなぎ合わせて元の映像を復元する映像復元手段と、復元された映像を表示する表示手段と、同期信号を信号線を介して各端末装置に送信する同期信号送信手段と、受信手段で受信した推定値信号に含まれる推定値に基づいて各タイムスロットに対する端末装置の割り当てを変更するとともに信号線を介して各端末装置にタイムスロットの割り当てを通知する通知手段とを有することを特徴とする。
【発明の効果】
【００１３】
請求項１の発明によれば、映像信号を送信するためのタイムスロットを減らさずに主装置における映像信号の信号レベルの調整が不要あるいは簡素化できる。
【００１４】
請求項２の発明によれば、相対的に伝送損失が増える周波数域の信号レベルを高くすることで映像信号が受信可能な信号線の線路長を延ばすことができる。
【００１５】
請求項３の発明によれば、一般に高い周波数域に比べて伝送損失の少ない低い周波数域の信号レベルを低くすることによって映像信号の最大振幅が過大になるのを防ぎ、映像信号の歪みを低減することができる。
【００１６】
請求項４の発明によれば、分岐配線などによって特定のキャリアが減衰するような場合でも伝送損失を補償することができて種々の配線形態に対応可能となる。
【００１７】
請求項５の発明によれば、主装置におけるノイズ耐性が向上する。
【００１８】
請求項６の発明によれば、伝送損失の推定処理におけるノイズ耐性が向上する。
【００１９】
請求項７の発明によれば、端末装置の誤動作が原因で映像信号の信号レベル調整が過剰になった場合、映像信号の信号レベルが適切でないことが主装置から当該端末装置に通知されるので、端末装置が誤動作し続けるのを防ぐことができる。
【００２０】
請求項８の発明によれば、例えば、伝送損失の推定値の順位に合わせて端末装置に対するタイムスロットの割り当てを変更すれば、主装置においては映像信号の信号レベルを増大又は減少の何れか一方向にのみ調整すればよいから、信号レベルの調整が簡素化できる。
【発明を実施するための最良の形態】
【００２１】
以下、図面を参照して本発明の実施形態を詳細に説明する。
【００２２】
（実施形態１）
本実施形態の映像伝送システムは、図１に示すように信号線Ｌｓを介して映像信号を送信する複数台の端末装置２と、同期信号ＳＹを送信するとともに端末装置２から時分割多重伝送される映像信号を信号線Ｌｓを介して受信して映像を表示する主装置１と、端末装置２から時分割多重伝送される映像信号を主装置１経由で信号線Ｌｓを介して受信して映像を表示する表示装置３とを備えている。ここで、信号線Ｌｓにはペア線などの平衡線路を用いているが、同軸線のような不平衡線路であっても構わない。また、エンハンストカテゴリー５あるいはカテゴリー６のＬＡＮケーブルの１ペアやＣＰＥＶケーブルの１ペアを信号線Ｌｓに利用しても構わない。
【００２３】
端末装置２は、図１に示すように個体撮像素子やレンズ等の光学系を有する撮像部２０と、撮像部２０の出力を増幅したりディジタル信号に変換する信号処理部２１と、信号処理部２１から出力されるディジタルの映像信号（映像データ）を変調するとともに同期信号ＳＹを復調する変復調部２２と、変復調部２２で変調された映像信号を送信するとともに同期信号ＳＹを受信するための送受信部２３と、ＣＰＵを主構成要素とし各部を制御する制御部２４と、主装置１との間で信号線Ｌｓを介して制御信号を送受信する制御信号送受信部２５と、送受信部２３から出力される映像信号と制御信号送受信部２５から出力する制御信号を周波数分割多重するとともに信号線Ｌｓを介して主装置１から伝送される制御信号を分離する多重分離部２６と、商用交流電源から内部の動作電源（直流）を作成する電源回路２７とを具備する。なお、変復調部２２は、限られた伝送帯域で映像データを高速に伝送するためにＯＦＤＭ（Orthogonal Frequency Division Multiplexing）のようなマルチキャリア変調方式で映像信号を変調している。また、各端末装置２には固有の識別符号が付与されており、この識別符号によって主装置１が各端末装置２を識別している。
【００２４】
送受信部２３は、抵抗素子ＲとアンプＡ１の直列回路が挿入された第１の経路と、制御部２４によってオン・オフ制御されるスイッチＳＷとアンプＡ２の直列回路が挿入された第２の経路とを有する。第１の経路は多重分離部２６を介して信号線Ｌｓに常時接続され、抵抗素子Ｒの抵抗値が信号線Ｌｓの線路インピーダンスよりも大きい値に設定されている。また、第２の経路は制御部２４によってスイッチＳＷがオンされたときにのみ多重分離部２６を介して信号線Ｌｓに接続される。
【００２５】
また制御部２４は、多重分離部２６から出力される同期信号ＳＹの信号レベルを検出し、その検出値と基準値の差分によって信号線Ｌｓの伝送損失（減衰量）の推定値を算出するとともに、送受信部２３における第２の経路に挿入されているアンプＡ２の利得（増幅度）を、算出した推定値分の伝送損失を補償するように調整して映像信号を送信する。すなわち、本実施形態においては、上述のような制御を行うプログラムをＣＰＵに実行させることによって、制御部２４を推定手段並びに映像信号レベル調整手段としている。なお、制御部２４が伝送損失を推定するに当たって、１回の同期信号ＳＹの受信によって推定すると突発的なノイズにより推定誤差が大きくなったり推定不能になる虞があるので、複数回の同期信号ＳＹを平均化して信号線Ｌｓの伝送損失を推定することによりノイズ耐性を向上することが望ましい。
【００２６】
主装置１は、ＣＰＵを主構成要素とする制御部１０と、同期信号ＳＹの送信並びに映像信号の受信、制御信号の送受信を行う送受信部１１と、信号処理部１５から出力される同期信号ＳＹを変調するとともに送受信部１１で受信する映像信号を復調する変復調部１２と、同期信号ＳＹを生成するとともに変復調部１２で復調された映像信号（映像データ）から元の映像を再構成する信号処理部１３と、ＬＣＤパネルのような表示デバイスからなり信号処理部１３で再構成された映像を表示する表示部１４と、送受信部１１から出力される同期信号ＳＹと制御部１０から出力する制御信号を周波数分割多重するとともに信号線Ｌｓを介して端末装置２から伝送される映像信号及び制御信号を分離し且つ映像信号を信号線Ｌｓに分岐する多重分離分岐部１５と、商用交流電源から内部の動作電源（直流）を作成する電源回路１６とを具備する。
【００２７】
同期信号ＳＹは、図２（ａ）に示すようにヘッダ部とデータ部で構成される。ヘッダ部は、プリアンブル、パケット種別、変調方式、タイムスロットの送信可否符号Ａｘ，Ｂｘ，Ｃｘ，Ｄｘ、データ長、誤り訂正符号で構成される。ここで、送信可否符号Ａｘ，Ｂｘ，Ｃｘ，Ｄｘは、本システムで規定する４つのタイムスロットＡ，Ｂ，Ｃ，Ｄに対する映像信号の送信可否を主装置１から各端末装置２に通知するものである。一方、データ部は、各タイムスロットＡ，Ｂ，Ｃ，Ｄに対する端末装置２の割り当て情報Ａｙ，Ｂｙ，Ｃｙ，Ｄｙと誤り訂正符号とで構成される。割り当て情報Ａｙ，Ｂｙ，Ｃｙ，Ｄｙにはそれぞれ端末装置２の識別符号が主装置１によって格納され、割り当て情報Ａｙ，Ｂｙ，Ｃｙ，Ｄｙに格納された各識別符号の端末装置２が各タイムスロットＡ，Ｂ，Ｃ，Ｄを使用して映像信号を送信する。但し、割り当て情報Ａｙ，Ｂｙ，Ｃｙ，Ｄｙに識別符号が格納されていても、送信可否符号Ａｘ，Ｂｘ，Ｃｘ，Ｄｘで許可されているタイムスロットＡ，Ｂ，Ｃ，Ｄのみが使用可能であることは言うまでもない。
【００２８】
また、図２（ｂ）に示すように映像信号もヘッダ部とデータ部で構成される。ヘッダ部は、プリアンブル、送信元の端末装置２を示す識別符号、パケット種別、変調方式、映像データライン番号、データ長、誤り訂正符号で構成される。一方、データ部は、映像データと誤り訂正符号とで構成される。ここで、映像データは、図３に示すように各ライン毎の映像データであって、各ライン毎の映像データを映像データライン番号の順番に垂直方向へつなげることで１フレームの映像が再構成できるものである。
【００２９】
主装置１並びに端末装置２においては、図４に示すように同期信号ＳＹの立ち下がりから所定の時間が経過した時点を先頭のタイムスロットＡの開始時点とし、次の同期信号ＳＹが立ち上がるまでの期間（信号送信期間）内に４つのタイムスロットＡ，Ｂ，Ｃ，Ｄを配置している。ここで、本実施形態では信号送信期間内に４つのタイムスロットＡ，Ｂ，Ｃ，Ｄを配置しているから、最大４台の端末装置２が個別に映像信号を送信できる。
【００３０】
次に、本実施形態の動作を説明する。
【００３１】
まず、端末装置２において映像信号送信開始のイベントが発生すると制御部２４が主装置１にタイムスロットの割り当てを要求するための要求通知を生成して制御信号送受信部２５に与え、制御信号送受信部２５が要求通知と自己の識別符号を制御信号により多重分離部２６を介して信号線Ｌｓに送出する。
【００３２】
一方、主装置１では、信号線Ｌｓを介して制御信号を受信した制御部１０が送受信部１１、変復調部１２、信号処理部１３を起動して信号処理部１３が生成した同期信号ＳＹを変復調部１２において変調し、送受信部１１から多重分離分岐部１５を介して信号線Ｌｓに送信させる。このとき信号処理部１３で生成する同期信号ＳＹでは、例えば、先頭のタイムスロットＡの送信可否符号Ａｘが送信許可とされ、さらに先頭のタイムスロットＡの割り当て情報Ａｙに要求元の端末装置２の識別符号が格納されている。
【００３３】
端末装置２では、多重分離部２６で分離された同期信号ＳＹが送受信部２３の第１の経路を通過して変復調部２２に取り込まれ、変復調部２２で復調されて制御部２４に送られる。制御部２４では送信可否符号Ａｘが送信許可とされ、且つ割り当て情報Ａｙに自己の識別符号が格納されていることを確認すると、撮像部２０で撮像する映像を信号処理部２１でディジタル信号に変換し、変換した映像データを変復調部２２で変調して映像信号を生成する。そして、映像信号の送信準備が整えば、制御部２４は送受信部２３のアンプＡ２を起動するとともに送信許可とされたタイムスロットＡの間だけスイッチＳＷをオンして変復調部２２で生成された映像信号をアンプＡ２で増幅し、スイッチＳＷを通して多重分離部２６より信号線Ｌｓを介して主装置１に伝送する。このとき、映像信号を増幅するアンプＡ２の利得は、制御部２４によって伝送損失の推定値を補償する値に設定される。
【００３４】
主装置１では信号線Ｌｓを介して伝送される映像信号を多重分離分岐部１５で分離して送受信部１１で受信し、さらに変復調部１２で復調した映像データを信号処理部１３に入力する。信号処理部１３では映像信号のヘッダ部に含まれる映像データライン番号に基づいて受け取った映像データを順番に垂直方向へつなげて１フレームの映像を再構成し、表示部１４に出力して映像を表示させる。
【００３５】
そして、映像信号を送信している端末装置２で送信終了のイベントが発生すると制御部２４が主装置１に映像信号の送信を終了する旨の通知を生成して制御信号送受信部２５に与え、制御信号送受信部２５が送信終了通知と自己の識別符号を制御信号により多重分離部２６を介して信号線Ｌｓに送出する。主装置１では、信号線Ｌｓを介して制御信号を受信した制御部１０が同期信号ＳＹの送信可否符号Ａｘを送信不可とするとともに割り当て情報Ａｙを空にする。その結果、端末装置２では制御部２４が送受信部２３のスイッチＳＷをオフして映像信号の送信を停止する。
【００３６】
ところで、主装置１においては端末装置２から伝送される映像信号を多重分離分岐部１５で別の信号線Ｌｓに分岐しており、分岐された信号線Ｌｓに接続される表示装置３においても主装置１と同様に端末装置２で撮像された映像をＬＣＤなどの表示デバイスで表示することができる。ここで、表示装置３においては、映像信号のヘッダ部に含まれる識別符号によって送信元の端末装置２を識別し、識別符号が同一である映像信号毎に復調された映像データをつなぎ合わせて元の映像を復元（再構成）することができる。したがって、表示装置３では同期信号ＳＹが不要であるから主装置１から信号線Ｌｓに同期信号ＳＹを伝送する必要が無く、信号線Ｌｓの配線形態の自由度が高くなるという利点がある。特に、図示例のように信号線Ｌｓに表示装置３のみが接続される場合であれば、主装置１から表示装置３への片方向のみ信号が伝送されるので、信号増幅用のアンプは片方向だけでよい。
【００３７】
上述のように本実施形態によれば、推定手段並びに映像信号レベル調整手段たる制御部２４が、多重分離部２６から出力される同期信号ＳＹの信号レベルを検出して信号線Ｌｓの伝送損失（減衰量）の推定値を算出するとともに、算出した推定値分の伝送損失を補償するようにアンプＡ２の利得（増幅度）を調整するので、各端末装置２から主装置１に到達する映像信号の信号レベルを一定の範囲に揃えることができ、その結果、主装置１では端末装置２からタイムスロットに格納されて伝送されるパケット（映像信号）毎に間欠的な利得制御を行う必要が無くなり、主装置１における映像信号の信号レベルの調整が不要あるいは簡素化できる。しかも、端末装置２においてはタイムスロットを決定するための同期信号ＳＹの信号レベルに基づいて伝送損失の推定値を算出するので、従来例のように伝送損失を推定するためのパイロット信号によってタイムスロットが占有されて映像信号を送信するためのタイムスロットが減るようなことがないものである。また、主装置１を介して表示装置３で映像信号を受信する場合においても、主装置１で映像信号の信号レベルが一旦揃うため、主装置１と表示装置３との間の信号線Ｌｓの伝送損失を補正するだけで済む。さらに、システム全体で考えると端末装置２と主装置１の間、表示装置３と主装置１の間の信号線Ｌｓの伝送損失（減衰量）に応じた利得制御となるため、利得調整の精度が従来と同等であっても伝送可能な配線形態が拡大されるという利点がある。なお、同期信号ＳＹに含まれる制御情報（送信可否符号Ａｘ〜Ｄｘや割り当て情報Ａｙ〜Ｄｙなど）を正常に復調するために、端末装置２の送受信部２３における第１の経路のアンプＡ１に対しても利得制御を行う必要があるが、対象を同期信号ＳＹに限定すれば簡易な利得制御で済む。
【００３８】
ところで、一般に伝送線路における伝送損失には周波数特性が存在し、相対的に低い周波数域に比べて高い周波数域での伝送損失が大きくなる。したがって、周波数特性に関係なく伝送損失を補償するように映像信号の送信電力を調整しても、主装置１で受信する映像信号では高い周波数域が減衰してしまい、信号線Ｌｓの線路長が長くなるにつれて周波数偏差が増大して映像信号の受信が困難になる虞がある。そこで、予め信号線Ｌｓの線路長と伝送損失の相関関係を調べて制御部２４に記憶しておき、同期信号ＳＹの信号レベルと前記相関関係とに基づいて制御部２４で伝送損失の周波数特性を推定し、推定した周波数特性を考慮して相対的に伝送損失が増える周波数域の信号レベルを高くするようにアンプＡ２の利得を調整すれば、映像信号が受信可能な信号線Ｌｓの線路長を延ばすことができる。
【００３９】
一方、上述のように映像信号の高い周波数域の信号レベルを大きくした場合、時間軸でみた映像信号の最大振幅が増大し、主装置１の送受信部１１におけるダイナミックレンジを超えて歪みが生じてしまう虞がある。そこで、上述のように端末装置２の制御部２４が高い周波数域の信号レベルを高くするのと同時に低い周波数域の信号レベルを低くすれば、映像信号の最大振幅が過大になるのを防いで映像信号の歪みを低減することができる。      
【００４０】
また、本実施形態では同期信号ＳＹや映像信号の変調方式としてＯＦＤＭのようなマルチキャリア変調方式を採用しているので、端末装置２の制御部２４においてはサブキャリアの周波数間隔で信号線Ｌｓの伝送損失を推定することができ、その結果、サブキャリアの周波数間隔で映像信号の信号レベルが調整可能となる。したがって、分岐配線などによって特定のキャリアが減衰するような場合でも伝送損失を補償することができて種々の配線形態に対応可能となる。
【００４１】
ところで、映像信号のヘッダ部の先頭にはプリアンブルが配置されているが、通常、プリアンブルのピーク電力はデータ部のピーク電力よりも低い値に設定されており、アンプＡ２で増幅したときに歪みが生じにくくなっている。しかしながら、プリアンブルのピーク電力が低く抑えられていると、信号線Ｌｓの伝送損失が大きい場合にＳ／Ｎ比が劣化して映像信号の受信感度が低下することになる。したがって、アンプＡ２の非線形性が支障にならなければ、プリアンブルの信号レベルがデータ部（特に映像データ）の平均的な信号レベルよりも相対的に高くなるようにアンプＡ２の利得を調整することによって主装置１における映像信号の受信感度並びにノイズ耐性が向上するという利点がある。
【００４２】
ところで、端末装置２の制御部２４による映像信号の信号レベル調整に不具合が生じ、その結果、主装置１で受信する映像信号の信号レベルが所定のしきい値を超えるほど大きくあるいは小さくなってしまう場合がある。そこで、映像信号の信号レベルがしきい値を超えたタイムスロットに割り当てられている端末装置２に対して、通知手段たる主装置１の制御部１０から同期信号ＳＹあるいは制御信号により映像信号の信号レベルが適切でないことを通知すれば、該通知を受け取った端末装置２において制御部２４が再度伝送損失の推定処理を行ってアンプＡ２の利得を再調整して誤動作し続けるのを防ぐことができる。
【００４３】
（実施形態２）
本実施形態の基本構成は実施形態１と共通であるから図示は省略する。
【００４４】
本実施形態においては、端末装置２の制御部２４で算出した信号線Ｌｓの伝送損失の推定値を制御信号によって主装置１に通知し、主装置１の制御部１０が各端末装置２から受け取った伝送損失の推定値の大小関係に基づき、推定値の昇順あるいは降順に各端末装置２に対するタイムスロットの割り当てを変更している。
【００４５】
したがって、主装置１においては映像信号の信号レベルを増大又は減少の何れか一方向にのみ調整すればよいから、信号レベルの調整が簡素化できる。
【００４６】
ここで、図５に示すようにゲート装置１０３の接続口に対して機能モジュール１０８のコネクタを接続するだけで機能モジュール１０８の電力路と、情報路とを同時に確保でき、しかも機能モジュール１０８をどのゲート装置１０３にも接続できるレイアウトフリーで施工性に優れた配線システムがある。かかる配線システムは、建物内の適所において埋め込み配設している１乃至複数のスイッチボックス１０２を設け、各スイッチボックス１０２間に壁面内に先行配線した電力線１１０と、情報線１１１とを送り配線するとともに、始端のスイッチボックス１０２に対しては、配線盤１０１内に引き込まれた主幹ブレーカＭＢと分岐ブレーカＢＢとを介して屋内に引き込まれた力線１１０と、外部のインターネット網ＮＴにゲートウェイ１２０（ルータ、ハブ内蔵）を介して接続されている情報線１１１とが、接続されている。そして、このような配線システムに本発明に係る映像伝送システムを組み込むことも可能である。
【図面の簡単な説明】
【００４７】
【図１】本発明の実施形態１を示すシステム構成図である。
【図２】（ａ）は同上における同期信号の説明図、（ｂ）は同上における映像信号の説明図である。
【図３】同上における映像データの説明図である。
【図４】同上における同期信号並びにタイムスロットのタイムチャートである。
【図５】同上を組み込む配線システムのシステム構成図である。
【符号の説明】
【００４８】
１  主装置
２  端末装置
２３  送受信部
Ａ２  アンプ
２４  制御部
ＳＹ  同期信号
Ｌｓ  信号線
【図１】
2007173996.tif 000003
【図２】
2007173996.tif 000004
【図３】
2007173996.tif 000005
【図４】
2007173996.tif 000006
【図５】
2007173996.tif 000007